(57)【要約】【課題】低温やけどを回避でき、またワンセグの携帯電話の場合にもワンセグのテレビが見やすい横置き式充電装置を得る。【解決手段】充電台の機器設置凹部の底面の長手方向の一方側には押圧子を出没させる押圧子出没孔を設け、機器設置凹部の底面の長手方向の他方側には電源端子を出没させる電源端子出没孔を設ける。充電台内の底板２上に配置したシーソーアーム１７の一端側１７ａの上面には押圧子１３を上向きに設置し、シーソーアーム１７の他端側１７ｂには端子カバー２０を直交する向きで設置する。端子カバー２０の自由端２０ｂはシーソーアーム１７の他端側１７ｂ上に重ねて設置する。端子カバー２はその自由端２０ｂでシーソーアーム１７の他端側１７ｂを押し下げるように端子カバー付勢バネ２３で付勢する。端子カバー２０には電源端子１５を上面から突出させて支持させる。【選択図】図２
2008283752.tif 000002
【特許請求の範囲】
【請求項１】
充電台の上面に機器設置凹部に電子機器をその一方の側面を下向きにして横向きに設置した状態で、前記電子機器の充電端子を前記充電台の電源端子に接触させて充電を行う横置き式充電装置であって、
前記充電台の前記機器設置凹部には横向きされた前記電子機器を仮り係止するフック機構が設けられ、前記機器設置凹部の底面の長手方向の一方側には前記電子機器の設置で押し下げられると共に前記電子機器の除去で突出する押圧子を出没させる押圧子出没孔が設けられ、前記機器設置凹部の底面の長手方向の他方側には前記充電台内に没していて前記機器設置凹部への前記電子機器の横置き設置で前記機器設置凹部の表面に突出して前記電子機器の前記充電端子に接触する前記電源端子を出没させる電源端子出没孔が設けられ、
前記充電台内の底板上には両端が上下方向に逆向きの運動するシーソーアームが前記機器設置凹部の長手方向に向けた状態で配置され、該シーソーアームの一端側の上面には前記押圧子が上向きに設置され、
前記シーソーアームの他端側には端子カバーが直交する向きで設置され、前記端子カバーはその基部が回転自在に前記充電台の前記底板上に設置され、前記端子カバーの自由端は前記シーソーアームの他端側上に重ねて設置され、前記端子カバーはその自由端で前記シーソーアームの他端側を押し下げるように端子カバー付勢バネで付勢され、
前記端子カバーは前記電源端子が該端子カバーの上面から突出するように支持され、前記電源端子は前記機器設置凹部内で上方に突出している前記押圧子が前記充電台内に押し下げられた際に前記シーソーアームの一端側が下がり前記シーソーアームの他端側が上がって前記端子カバーの自由端側を押し上げて前記電源端子を前記電源端子出没孔から前記機器設置凹部上に突出させる構造になっていることを特徴とする横置き式充電装置。
【発明の詳細な説明】
【技術分野】
【０００１】
本発明は、充電台上面の機器設置凹部に電子機器をその一方の側面を下向きにして横向きに設置した状態で、電子機器の充電端子を充電台の電源端子に接触させて充電を行う横置き式充電装置に関するものである。
【背景技術】
【０００２】
携帯電話の如き携帯型の電子機器は、充電装置で充電をする必要がある。従来の電子機器をその一方の側面を下向きにして横向きに設置して充電する横置き式充電装置は、電源端子が充電台の上面の機器設置凹部の表面から出没する構造ではなく、機器設置凹部上に電源端子が突出されて状態で固定されており、また機器設置凹部の表面の隣接した位置には押圧子が上下動可能に突設されており、機器設置凹部には横向きされた電子機器を仮り係止するフック機構が設けられた構造になっていた（例えば、特許文献１参照。）。
【０００３】
このような横置き式充電装置、機器設置凹部内に電子機器がその一方の側面を下向きにして横置きされて設置されてフック機構で仮り係止された状態になると、電子機器の設置で押圧子が押し下げられて内蔵するスイッチが作動して充電回路と電源端子とが電気的につながり、電源端子から電子機器の充電端子を経て充電が行われるようになっている。
【０００４】
また、横置き式充電装置ではないが、電子機器をその広い背面を下向きに充電台の上面の機器設置凹部に設置して充電をする平置き式充電装置も提案されている。この従来の平置き式充電装置は、充電台の上面の機器設置凹部に電源端子出没孔が設けられ、この電源端子出没孔に対応して設けられている電源端子は通常は充電台内に隠れていて機器設置凹部に電子機器が設置されると電源端子出没孔から機器設置凹部上に突出するようになっており、また機器設置凹部には電源端子出没孔に隣接して押圧子出没孔が設けられ、この押圧子出没孔には通常は機器設置凹部上に突出していて機器設置凹部に電子機器が設置されると下降する押圧子が設けられ、この押圧子は機器設置凹部に電子機器が設置されて下降されると充電台内でカムが回って水平向きの回転軸が回転し、カムにより電源端子を電源端子出没孔から機器設置凹部上に突出させ、この突出した電源端子が電子機器の充電端子に接触して充電を行う構造になっている。
【特許文献１】特開２００６−８７２２３号公報
【発明の開示】
【発明が解決しようとする課題】
【０００５】
しかしながら、従来の横置き式充電装置では、機器設置凹部上に常時突出している電源端子に隣接して押圧子が突出されているので、例えば就寝中に手を押圧子に載せると、該押圧子が押し下げされて電源端子に通電がなされ、押圧子と常時突出している電源端子とが隣接して配置されているので、手に通電がなされ、低温やけどをひきおこす問題点があった。
【０００６】
また平置き式充電装置では、通常は電源端子が充電台内に退避しているので、低温やけどの問題はないが、電子機器がワンセグの携帯電話の場合には、充電中に画面が真上に向いているのでワンセグのテレビが見え難い問題点がある。
【０００７】
本発明の目的は、低温やけどを回避でき、またワンセグの携帯電話の場合にもワンセグのテレビが見やすい横置き式充電装置を提供することにある。
【課題を解決するための手段】
【０００８】
上記の目的を達成する本発明の構成を説明すると、請求項１に記載の発明は、充電台の上面に機器設置凹部に電子機器をその一方の側面を下向きにして横向きに設置した状態で、前記電子機器の充電端子を前記充電台の電源端子に接触させて充電を行う横置き式充電装置であって、
前記充電台の前記機器設置凹部には横向きされた前記電子機器を仮り係止するフック機構が設けられ、前記機器設置凹部の底面の長手方向の一方側には前記電子機器の設置で押し下げられると共に前記電子機器の除去で突出する押圧子を出没させる押圧子出没孔が設けられ、前記機器設置凹部の底面の長手方向の他方側には前記充電台内に没していて前記機器設置凹部への前記電子機器の横置き設置で前記機器設置凹部の表面に突出して前記電子機器の前記充電端子に接触する前記電源端子を出没させる電源端子出没孔が設けられ、
前記充電台内の底板上には両端が上下方向に逆向きの運動するシーソーアームが前記機器設置凹部の長手方向に向けた状態で配置され、該シーソーアームの一端側の上面には前記押圧子が上向きに設置され、
前記シーソーアームの他端側には端子カバーが直交する向きで設置され、前記端子カバーはその基部が回転自在に前記充電台の前記底板上に設置され、前記端子カバーの自由端は前記シーソーアームの他端側上に重ねて設置され、前記端子カバーはその自由端で前記シーソーアームの他端側を押し下げるように端子カバー付勢バネで付勢され、
前記端子カバーは前記電源端子が該端子カバーの上面から突出するように支持され、前記電源端子は前記機器設置凹部内で上方に突出している前記押圧子が前記充電台内に押し下げられた際に前記シーソーアームの一端側が下がり前記シーソーアームの他端側が上がって前記端子カバーの自由端側を押し上げて前記電源端子を前記電源端子出没孔から前記機器設置凹部上に突出させる構造になっていることを特徴とする。
【発明の効果】
【０００９】
本発明の横置き式充電装置では、横置き式でありながら電源端子が待機時に充電台内に収納されているので、低温やけどを回避することができる。また、待機時に手で押圧子が押されて電源端子が充電台の機器設置凹部上に突出されても、押圧子と電源端子は離れて存在するので、手が電源端子に接触しなくなり、この点でもむ低温やけどを回避することができる。特に、押圧子と電源端子が離れて存在していても、本発明ではシーソーアームで操作を行うので、シーソーアームの長さの設定により容易に押圧子と電源端子との操作を行うことができる。また、シーソーアームによれば、回転軸の両端にカムをそれぞれ設けるものに比べて構造が簡単になり、低コストで実施することができる。さらに、電子機器がワンセグの携帯電話の場合には、充電中に画面が真横を向いているのでワンセグのテレビが見やすい利点がある。
【発明を実施するための最良の形態】
【００１０】
以下、本発明に係る横置き式充電装置を実施するための最良の形態を、図面に示す実施例により詳細に説明する。
【００１１】
図１乃至図３は本発明に係る横置き式充電装置の一実施例を示したもので、図１は本実施例の横置き式充電装置の斜視図、図２は本実施例の横置き式充電装置で充電台を外して内部構造を示した斜視図、図３は図２に示す内部構造で左右の部分と中央側の部分を分解して示した斜視図である。
【００１２】
本実施例の横置き式充電装置は、樹脂成型品よりなる充電台１の下部が、樹脂成型品よりなる底板２で閉塞している。充電台１の上面には、機器設置凹部３が窪ませて設けられ、携帯電話の如き携帯型の電子機器４が横置きされるようになっている。機器設置凹部３の背面には、その左右に１対の機器支え凸条５が相互に平行する向きで突設されている。携帯電話の如き携帯型の電子機器４の正面には、文字情報やテレビの映像を映しだす画面６が設けられている。
【００１３】
充電台１の機器設置凹部３には、横向きされた電子機器４を仮り係止する１対のフック機構７が設けられている。これらフック機構７は、フック８を突設したフックアーム９が起立する向きで設けられていて、このフックアーム９の長手方向の途中には水平向きで軸１０が突設され、これらの軸１０の両端が底板２から立設された軸受けブラケット１１の上端の凹部で回転自在に支持されている。フックアーム９は、軸１０に巻き付けられたバネ１２によりフック８がその突出方向に倒れて電子機器４を仮係止すように付勢されている。
【００１４】
機器設置凹部３の底面の長手方向の一方側には、電子機器４の設置で押し下げられると共に電子機器４の除去で外向きに突出する押圧子１３を出没させる押圧子出没孔１４が設けられている。また、機器設置凹部３の底面の長手方向の他方側には、通常は充電台１内に没してして機器設置凹部３への電子機器４の横置き設置で機器設置凹部３の表面に突出して電子機器４の１対の充電端子（図示せず）に接触する１対の電源端子１５を出没させる１対の電源端子出没孔１６が設けられている。電源端子１５は、導電性の弾性線材を折り返して突形に折り曲げ加工して形成されている。
【００１５】
充電台１の底板２上には、両端が上下方向に逆向きの運動する絶縁樹脂製のシーソーアーム１７が充電台１の長手方向に向けた状態で配置されている。シーソーアーム１７は、その一端側１７ａが押圧子１３に対応し、他端側１７ｂが電源端子１５に対応する長さを有し、充電台１の長手方向に向けた状態で配置されている。シーソーアーム１７はその長手方向の中間に軸１８が水平向きで突設されている。これらの軸１８の両端は、底板２から立設された軸受けブラケット１９の上端の凹部でシーソー運動ができるように回転自在に支持されている。シーソーアーム１７の一端側１７ａの上面には、押圧子１３が上向きに設置されている。
【００１６】
シーソーアーム１７の他端側１７ｂには、絶縁樹脂製の端子カバー２０が直交する向きで設置されている。端子カバー２０はその基部２０ａが回転自在に底板２上に設置されている。即ち、端子カバー２０の基部２０ａには軸２１が水平向きで突設され、その両端は底板２から立設された軸受けブラケット２２の上端の凹部で回転自在に支持されている。端子カバー２０の自由端２０ｂは、シーソーアーム１７の他端側１７ｂ上に重ねて設置されている。端子カバー２０はその自由端２０ｂでシーソーアーム１７の他端側１７ｂを押し下げるように端子カバー付勢バネ２３で付勢されている。端子カバー付勢バネ２３は、端子カバー２０の軸２１に巻き付けられていて、端子カバー２０の自由端２０ｂを押し下げるように付勢されている。
【００１７】
端子カバー２０には、電源端子１５が該端子カバー２０の上面の窓２４から突出させて、電源端子１５の先端１５ａは端子カバー２０の自由端２０ｂの外に露出されている。電源端子１５の基端は、図示しないが端子カバー２０の下側で底板２上に設置されたプリント回路板上の電源回路に電気的に接続されている。このような電源端子１５は、機器設置凹部３内で上方に突出している押圧子１３を充電台１内に押し下げた際にシーソーアーム１７の一端側１７ａが下がり、シーソーアーム１７の他端側１７ｂが上がって端子カバー２０の自由端２０ｂ側を押し上げて電源端子１５を電源端子出没孔１６から機器設置凹部３上に突出させる構造になっている。
【００１８】
このような構造の横置き式充電装置は、充電台１の機器設置凹部３に、横向きされた電子機器４を押し込むと、左右１対のフック機構７により電子機器４を仮り係止する。このときに、電子機器４の押し込みにより押圧子１３が押し下げられる。これにより、シーソーアーム１７の一端側１７ａが下がり、シーソーアーム１７の他端側１７ｂが上がって端子カバー２０の自由端２０ｂ側を押し上げてシーソーアーム１７の一端側１７ａが下がり、シーソーアーム１７の他端側１７ｂが上がって端子カバー２０の自由端２０ｂ側を押し上げて電源端子１５を電源端子出没孔１６から機器設置凹部３上に突出させる。この動作により、電源端子１５が電子機器４の図示しない充電端子に接触して電子機器４に対する充電が行われる。充電が終了して電子機器４を機器設置凹部３から撤去すると、端子カバー付勢バネ２３の付勢で端子カバー２０の自由端２０ｂ側が押し下げられ、これによりシーソーアーム１７の他端側１７ｂが下がり、シーソーアーム１７の一端側１７ａが上がって、押圧子１３が機器設置凹部３上に突出し、待機状態に戻る。
【００１９】
かかる横置き式充電装置では、横置き式でありながら電源端子１５が待機時に充電台１内に収納されているので、低温やけどを回避することができる。また、待機状態で、手で押圧子１３が押されて電源端子１５が充電台１の機器設置凹部３上に突出されても、押圧子１３と電源端子１５は離れて存在するので、手が電源端子１５に接触しなくなり、この点でも低温やけどを回避することができる。特に、押圧子１３と電源端子１５が離れて存在していても、シーソーアーム１７で操作を行うので、シーソーアーム１７の長さの設定により容易に押圧子１３と電源端子１５との操作を行うことができる。また、シーソーアーム１７によれば、回転軸の両端にカムをそれぞれ設けるものに比べて構造が簡単になり、低コストで実施することができる。さらに、電子機器４がワンセグの携帯電話の場合には、充電中に画面６が真横を向いているのでワンセグのテレビが見やすい利点がある。
【図面の簡単な説明】
【００２０】
【図１】本発明に係る横置き式充電装置の一実施例を示した斜視図である。
【図２】本実施例の横置き式充電装置で充電台を外して内部構造を示した斜視図である。
【図３】図２に示す内部構造で左右の部分と中央側の部分を分解して示した斜視図である。
【符号の説明】
【００２１】
１  充電台
２  底板
３  機器設置凹部
４  電子機器
６  画面
７  フック機構
１３  押圧子
１４  押圧子出没孔
１５  電源端子
１６  電源端子出没孔
１７  シーソーアーム
１７ａ  一端側
１７ｂ  他端側
２０  端子カバー
２３  端子カバー付勢バネ
【図１】
2008283752.tif 000003
【図２】
2008283752.tif 000004
【図３】
2008283752.tif 000005